(57)【要約】【課題】イントラ予測符号化装置において、ピクチャにおける最左端ブロックや最上位行ブロック等の周辺画素ブロックのイントラ予測符号化を行う場合でも、符号量を小さくすること。【解決手段】動画像符号化装置１００は、動画像信号１０が入力されると、ＡＶＣ符号化方式の符号化単位であるスライス単位に、イントラ予測符号化する場合にはイントラ予測部２１および減算器１１にその動画像信号１０が送られる。イントラ予測部２１では、各ピクチャにおける最上位行ブロックや、最左列ブロックや、最右列ブロック等のある方向の予測モードが制限される周辺ブロックをイントラ予測する際、時間的に前後する他のピクチャにおける対応するブロックの左側および上側の隣接する符号化済みブロックの画素を参照画素として予測を行う。【選択図】図１
2008166916.tif 000002
【特許請求の範囲】
【請求項１】
ピクチャ内で画素ブロック毎に隣接する符号化済み画素ブロックの画素を参照して所定の予測方向によりイントラ予測を行うイントラ予測符号化装置であって
前記イントラ予測を行う際、所定の予測方向に、隣接する符号化済み画素ブロックの画素がない場合、時間的に前後する他のピクチャにおける画素ブロックであって前記符号化対象画素ブロックに対応する画素ブロックに隣接する符号化済み画素ブロックの画素を用いて所定の予測方向によりイントラ予測を行うイントラ予測符号化手段を有するイントラ予測符号化装置。
【請求項２】
ピクチャ内で画素ブロック毎に隣接する符号化済み画素ブロックの画素を参照して所定の予測方向によりイントラ予測を行うイントラ予測符号化方法であって
前記イントラ予測を行う際、所定の予測方向に、隣接する符号化済み画素ブロックの画素がない場合、時間的に前後する他のピクチャにおける画素ブロックであって前記符号化対象画素ブロックに対応する画素ブロックに隣接する符号化済み画素ブロックの画素を用いて所定の予測方向によりイントラ予測を行うイントラ予測符号化方法。
【発明の詳細な説明】
【技術分野】
【０００１】
本発明は、ピクチャ内で所定の大きさの画素ブロック毎に隣接する符号化済み画素ブロックの画素を用いて所定の予測方向によりイントラ予測を行うイントラ予測符号化装置およびイントラ予測符号化方法に関するものである。
【背景技術】
【０００２】
Ｈ．２６４／ＡＶＣ符号化方式等においては、ピクチャ内で近傍画素との相関により圧縮を行うイントラ予測（画面内予測ともいう。）という手法がある。イントラ予測は、対象となる、例えば４×４画素のイントラ予測ブロックに対しその周辺画素の値から予測画像を作成する符号化方式では、Ｈ．２６４／ＡＶＣでは、規格によって９種類の予測モードが規定されている。９種類のモードそれぞれの予測画像と、符号化対象となる原画像との間の残差を計算し、これが最終的に符号化したときに符号量の少ないものを選択する。残差成分は直交変換、量子化などが施され、選択されたモード番号と共に符号化される。複合化は逆直交変換、逆量子化などで残差成分を抽出し、モード番号から予測画像を生成し、差分を加えて元の画像を再現する。
【非特許文献１】「Ｈ．２６４／ＡＶＣ教科書」インプレス社発行  2004年（大久保榮監修）
【発明の開示】
【発明が解決しようとする課題】
【０００３】
しかし、従来のイントラ予測では、所定の対象ブロックに対しその周辺画素の値から予測画像を作成する符号化方式では、ピクチャの外側のブロックを参照する予測方向の使用が禁止されており、イントラ予測する際の参照画素は、同一のピクチャ内の画素に限定されているため、ピクチャにおける最左列や、最上位行等の周辺画素ブロックでは、イントラ予測をする際、左側や上側等、参照すべの隣接画素ブロックが存在しない場合がある。そのため、相関の低い方向からの予測になってしまう可能性が高くなり、原画素と予測画素の差が大きなものとなってしまい、符号量が大きくなってしまう、という問題がある。
【０００４】
そこで、本発明は、ピクチャにおける最左端ブロックや最上位行ブロック等の周辺画素ブロックのイントラ予測（画面内予測）を行う場合でも、符号量を小さくすることができるイントラ予測符号化装置およびイントラ予測符号化方法を提供することを目的とする。
【課題を解決するための手段】
【０００５】
上記目的を達成するため、本発明では、ピクチャ内で所定の大きさの画素ブロック毎に隣接する符号化済み画素ブロックの画素を用いて所定の予測方向によりイントラ予測を行う際、所定の予測方向に、隣接する符号化済み画素ブロックの画素がない場合、時間的に前後する他のピクチャにおける画素ブロックであって前記符号化対象画素ブロックに対応する画素ブロックに隣接する符号化済み画素ブロックの画素を用いて所定の予測方向によりイントラ予測を行う、ものである。
【発明の効果】
【０００６】
本発明のイントラ予測符号化装置およびイントラ予測符号化方法によれば、ピクチャ内における最左端ブロックや最上位行ブロック等のように、参照する隣接する符号化済み画素ブロックのない符号化対象画素ブロックについてイントラ予測を行う場合でも、時間的に前後する他のピクチャにおける画素ブロックであって当該符号化対象画素ブロックに対応する画素ブロックに隣接する符号化済み画素ブロックの画素を用いて所定の予測方向によりイントラ予測を行うようにしたので、符号量を減少させることができる。
【発明を実施するための最良の形態】
【０００７】
次に、本発明に係るイントラ予測符号化装置およびイントラ予測符号化方法の実施の形態について、図面を参照して説明する。
【０００８】
実施の形態１．
図１は、本発明に係るイントラ予測符号化装置およびイントラ予測符号化方法を実現する動画像符号化装置１００の構成の一例を示すブロック図である。
【０００９】
図１において、この動画像符号化装置１００は、減算器１１、ＤＣＴ部１２、量子化部１３、可変長符号化部１４、逆量子化部１５、逆ＤＣＴ部１６、デブロックフィルタ部１７、メモリ部１８、動き予測（ＭＥ）部１９、動き補償（ＭＣ）部２０、イントラ予測部２１、第１の重み付けテーブル算出部２２、重み付け予測部２３、加算器２４、切替えスイッチ２５とを有しており、動画像信号１を入力してＨ．２６４／ＡＶＣ符号化方式により符号化して符号化ビットストリーム２を作成するように構成されている。
【００１０】
ここで、本実施の形態が採用する符号化方式であるＨ．２６４／ＡＶＣ符号化方式では、符号化単位が１枚のピクチャを構成する複数のスライスで、１枚のピクチャに異なる種類（タイプ）のスライスを混在させることができる。スライスにはＩ，Ｐ，Ｂ，ＳＩ，ＳＰの各スライスタイプがある。Ｉスライスではイントラ符号化、Ｐスライスではイントラ符号化または参照ピクチャ１枚を参照するインター符号化、Ｂスライスではイントラ符号化または参照ピクチャ２枚まで参照するインター符号化を行うことができる。また、ＳＩおよびＳＰスライスは、ストリームを途中で切替えるための特殊なスライスである。以下、説明の便宜上、スライスタイプはＩ，Ｐ，Ｂスライスのみとし、１つのピクチャには１つのスライスのみが存在するものとして説明する。
【００１１】
図２は、図１に示す動画像符号化装置１００が符号化した符号化ビットストリームを復号する動画像復号装置の構成の一例を示す図である。
【００１２】
図２において、動画像復号装置２００は、可変長復号部４１、逆量子化部４２、逆ＤＣＴ部４３、イントラ予測部４４、動き補償（ＭＣ）部４５、重み付け予測部４６、符号化モード切替えスイッチ４７、加算器４８、デブロックフィルタ部４９、メモリ部５０を有しており、例えば、図１に示す動画像符号化装置１００によって符号化された符号化ビットストリーム３０を入力してＨ．２６４／ＡＶＣ復号化方式により復号して、復号信号６０を出力するように構成されている。
【００１３】
次に動作を説明する。
【００１４】
まず、動画像符号化装置１００には、動画像信号１０が入力されると、ＡＶＣ符号化方式の符号化単位であるスライス単位に、イントラ予測符号化する場合にはイントラ予測部２１および減算器１１にその動画像信号１０が送られる一方、インター予測する場合には減算器１１、動き推定（ＭＥ）部１９および重み付けテーブル算出部２２へその動画像信号１０が送られる。
【００１５】
イントラ予測符号化の場合、動画像信号１０と、符号化モード切替えスイッチ２５を介したイントラ予測部２１からのイントラ予測信号との差分値が減算器１１にて求められ、その差分値はＤＣＴ部１２によってＤＣＴ変換され、量子化部１３によって量子化が施された後、可変長符号化部１４によって可変長符号化され、符号化ビットストリーム２０として出力される。
【００１６】
一方、インター予測符号化の場合、動画像信号１０と、符号化モード切替えスイッチ２５を介した重み付け予測部２３からの重み付け予測信号との差分値が減算器１１にて求められ、その差分値はＤＣＴ部１２によってＤＣＴ変換され、量子化部１３によって量子化された後、可変長符号化部１４によって可変長符号化され、符号化ビットストリーム２０として出力される。なお、重み付けテーブル算出部２２が動画像信号１０に基づいて重み付けテーブルを生成して重み付け予測部２３に出力し、重み付け予測部２３がその重み付けテーブルを参照して重み付け予測信号を生成する。
【００１７】
なお、重み付け予測部２３からの重み付け予測信号は、現在のピクチャ（フレーム）より前に符号化されたピクチャが、ＤＣＴ部１２によってＤＣＴ変換され、量子化部１０３によって量子化された後、ローカルデコード、すなわち逆量子化部１５によって逆量子化され、逆ＤＣＴ部１６によって逆ＤＣＴ変換された後に、加算器２４にて減算器１１に入力したものと同じ重み付け予測信号と加算されて画像信号が復元され、デブロックフィルタ部１７によってブロック歪等をフィルタリングされた後、メモリ部１０８に参照画像として保存される。
【００１８】
そして、動き推定（ＭＥ）部１９によってメモリ部１０８から符号化対象である現在のピクチャに対応する参照画像が予測画像として取り出され、動き推定が施されて動きベクトルが予測され、動き補償（ＭＣ）部２０によって動き補償が施される。
【００１９】
そして、イントラ予測符号化の場合およびインター予測符号化の場合も、量子化部１３によって量子化された符号化データは、可変長符号化部１４にて可変長符号化されて符号化ビットストリーム２０として出力される際、符号化モード切替えスイッチ２５からの符号化モードや、量子化部１３からの量子化パラメータや、動き推定（ＭＥ）部１９からの動きベクトル情報、イントラ予測部２１からのイントラ予測モード、重み付け予測部２３からの重み付け予測テーブル等が符号化パラメータとして符号化データと一緒に可変長符号化されて符号化ビットストリーム２０に多重化される。
【００２０】
一方、動画像復号装置２００では、例えば、図１に示す動画像符号化装置１００からの符号化ビットストリーム２０が入力されると、可変長復号化部４１において可変長復号され、動画像信号を符号化した符号化データと、符号化モード切替えスイッチ２５からの符号化モードや、量子化部１３からの量子化パラメータ、動き推定（ＭＥ）部１９からの動きベクトル情報、イントラ予測部２１からのイントラ予測モード、重み付け予測部２３からの重み付け予測テーブル等の符号化パラメータが復号される。
【００２１】
そして、符号化モードがイントラ予測符号化を示している場合、符号化ビットストリーム２０から可変長復号された符号化データはイントラ予測符号化されているので、その符号化データを逆量子化部４２が逆量子化すると共に、逆ＤＣＴ部４３が逆ＤＣＴ変換して加算器４８へ出力する。また、それと同時に、イントラ予測部５５が、イントラ予測モードに基づいて、動画像符号化装置１００のイントラ予測部２１と同様にイントラ予測によって予測値を求めて、符号化モード切替えスイッチ４７を介して加算器４８へ出力して、逆ＤＣＴ部４３の出力値と加算されて画素値となる。
【００２２】
一方、符号化モードがインター予測符号化を示している場合、符号化ビットストリーム３０から可変長復号した符号化データはインター予測符号化されているので、その符号化データを逆量子化部４２が逆量子化すると共に、逆ＤＣＴ部４３が逆ＤＣＴ変換して加算器４８へ出力し、またそれと同時に、動画像符号化装置１００の動き補償（ＭＣ）部２０と同様に動き補償（ＭＣ）部４５によって動き補償が施され、重み付け予測が必要なときは重み付け予測部４６による重み付け予測が施され、符号化モード切替えスイッチ４７を介して加算器４８へ出力して、逆ＤＣＴ部４３の出力値と加算されて画素値となる。
【００２３】
そして、符号化モードがイントラ予測符号化を示している場合も、インター予測符号化を示している場合も、加算器４８から出力された後に、デブロックフィルタ部４９によってデブロックフィルタ処理がされて、必要に応じてメモリ部５０に格納され、出力タイミングになると、復号信号６０として出力される。
【００２４】
図３（ａ）〜（ｉ）は、それぞれ、本実施の形態２のイントラ予測部２１が行うイントラ予測の９つの予測モードを示している。
【００２５】
イントラ予測では、例えば、４×４画素のイントラ予測符号化対象ブロックに隣接する周辺画素Ａ〜Ｍの値を用いて予測画像を作成する。Ｈ．２６４では、４×４画素のイントラ予測の場合、図３（ａ）〜（ｉ）に示す予測モード（ｍｏｄｅ）０〜予測モード（ｍｏｄｅ）８の９種類の予測モードが規定されており、矢印の起点により予測値となる画素値を示している。なお、イントラ予測符号化対象ブロックの大きさは、４×４画素に限定されず、８×８画素や、１６×１６画素等の適応的に切り替えることが可能であり、この画素の大きさの情報も復号側へ伝送される。
【００２６】
例えば、予測モード（ｍｏｄｅ）０は、図３（ａ）に示すように、対象ブロック４０内の左から１列目の画素ａ，ｅ，ｉ，ｍは画素値Ａを用いて、２列目の画素ｂ，ｆ，ｊ，ｎは画素値Ｂを、３列目の画素ｃ，ｇ，ｋ，ｏは画素値Ｃ、４列目の画素ｄ，ｈ，ｌ，ｐは、画素値Ｄを用いて予測するモードである。なお、図３（ｃ）に示す予測モード（ｍｏｄｅ）２のみ、画素Ａ〜Ｈの平均値を用いている。
【００２７】
図４は、通常のイントラ予測が行われ場合に予測方向が禁止される４×４画素のイントラ予測ブロックを示している。
【００２８】
通常のイントラ予測が行われ場合、ピクチャの最左端列側ブロック２０２や、最上位行ブロック２０３は、それぞれ、左側あるいは上側に隣接するブロックがないので、ピクチャの最左端列側ブロック２０２では、予測モード（ｍｏｄｅ）２，４，６，８を使用できない一方、最上位行ブロック２０３では、予測モード（ｍｏｄｅ）０，３，４，５，７を使用できない。
【００２９】
そこで、本実施の形態のイントラ予測部２１は、イントラ予測を行う際、ピクチャの最左端列ブロック２０２や最上位行ブロック２０３等のある方向のイントラ予測モードが制限される周辺ブロックがイントラ予測符号化対象ブロックとなる場合、時間的に前後する他のピクチャ（フレームピクチャまたはフィールドピクチャ）における対応する画素ブロックの左側および上側の符号化済みブロックの画素を参照画素としてイントラ予測を行う。ここで、他のピクチャとは、フレーム予測であれば、フレームピクチャが該当するし、フィールド予測であればフィールドピクチャが該当する。また、他のピクチャは、イントラ予測符号化対象ピクチャになるべく時間の近いピクチャにするか、イントラ予測符号化対象ピクチャになるべく符号化順序の近いピクチャにするか、さらには、イントラ予測符号化対象ピクチャがＰピクチャやＢピクチャであれば、当該イントラ予測符号化対象ピクチャが予測ピクチャとして使用しているIピクチャやＰピクチャにしたり、時間的に近い複数のピクチャのうちから最もイントラ予測対象ブロックと予測した際の一致度が最も高い対応ブロックの他のピクチャであって、イントラ予測符号化対象画素ブロックに対応する画素ブロックの隣接画素ブロックを参照できるのを選択するようにする。
【００３０】
なお、その際、他の予測モードは、そのまま当該ピクチャの隣接する符号化済みブロックの画素を用いても良いし、他の予測モードも含め全て時間的に前後する他のピクチャ（フレームピクチャまたはフィールドピクチャ）における対応するブロックの左側および上側の符号化済みブロックの画素を参照画素として予測を行うようにしても勿論よい。
【００３１】
図５は、本実施の形態のイントラ予測部２１がピクチャ５０１の最上位行の最右列ブロック５０２についてイントラ予測する方法を示している。
【００３２】
このピクチャ５０１の最上位行の最右列ブロック５０２の場合、最上位行にあるので、従来のイントラ予測であると、ピクチャ５０１内では、隣接する画素５０３を参照画像として私用できず、予測モード（ｍｏｄｅ）０，３，４，５，７を使用できない。
【００３３】
そのため、本実施の形態のイントラ予測部２１では、このピクチャ５０１の最上位行の最右列ブロック５０２をイントラ予測する際、時間的に前後する他のピクチャ５０４における対応するブロック５０５の上側および右側の隣接する符号化済みブロックの画素５０６を参照画素として予測を行う。ただし、この場合、イントラ予測対象ブロック５０２に対応するブロック５０５の隣接画素５０６は、このピクチャ５０４内に含まれている必要がある。
【００３４】
図６は、本実施の形態のイントラ予測部２１がピクチャ５０１の最上位行の最右列ブロック５０２についてイントラ予測する方法を詳細に示している。
【００３５】
つまり、本実施の形態のイントラ予測部２１では、このピクチャ５０１の最上位行の最右列ブロック５０２をイントラ予測する際、時間的に前後する他のピクチャ５０４における対応するブロック５０５の上側および右側の１３個の符号化済みブロックの隣接画素５０６を、当該ピクチャ５０１の参照画素とみなしして予測を行う。
【００３６】
これにより、本実施の形態のイントラ予測部２１によれば、各ピクチャにおける最上位行ブロックや、最左列ブロック等のある方向のイントラ予測モードが制限される周辺ブロックをイントラ予測する際、時間的に前後する他のピクチャ５０３における対応するブロック５０４の左側および上側の隣接する符号化済みブロックの画素を参照画素として予測を行うので、イントラ予測の予測モードが制限されることがなくなるので、図５の５０２のブロックでイントラ予測の符号量を従来のイントラ予測方法よりも減少させることができる。
【００３７】
なお、本実施の形態のイントラ予測部２１は、各ピクチャにおける最上位行ブロックや、最左列ブロック等のある方向のイントラ予測モードが制限される周辺ブロックをイントラ予測する際、時間的に前後する他のピクチャ５０３における対応するブロック５０４の左側および上側の隣接する符号化済みブロックの画素を参照画素として予測を行った場合、イントラ予測に使用した他のピクチャ５０３における対応するブロック５０４の左側および上側の隣接する符号化済みブロックの画素を示すパラメータが符号化ビットストリーム３０に多重化されるように可変長符号化部１４に出力して可変長符号化する。
【００３８】
一方、動画像復号装置２００では、例えば、図１に示す動画像符号化装置１００からの符号化ビットストリーム２０が入力されると、可変長復号化部４１において可変長復号され、動画像信号を符号化した符号化データと、符号化モード切替えスイッチ２５からの符号化モードや、量子化部１３からの量子化パラメータ、動き推定（ＭＥ）部１９からの動きベクトル情報、イントラ予測部２１からのイントラ予測モード、重み付け予測部２３からの重み付け予測テーブル等の符号化パラメータが復号され、その符号化データは逆量子化部４２にて逆量子化され、逆ＤＣＴ部４３にて逆ＤＣＴ変換して加算器４８へ出力される。
【００３９】
そして、符号化モードがイントラ予測符号化を示しており、しかも動画像符号化装置１００のイントラ予測部２１が各ピクチャにおける最上位行ブロックや、最左列ブロック等のある方向のイントラ予測モードが制限される周辺ブロックをイントラ予測する際、時間的に前後する他のピクチャにおける対応するブロックの左側および上側の隣接する符号化済みブロックの画素を参照画素として予測を行った場合、そのイントラ予測に使用した他のピクチャにおける対応するブロックに隣接する符号化済みブロックの画素を示すパラメータが符号化ビットストリーム３０に多重化されているので、可変長復号化部４１で符号化ビットストリーム３０を復号した際、復号される。
【００４０】
そのため、動画像復号装置２００では、イントラ予測部４４にてイントラ予測する際、符号化側のイントラ予測モードと、参照画像として使用した他のピクチャにおける対応するブロックに隣接する符号化済みブロックの画素とに基づいて、動画像符号化装置１００のイントラ予測部２１と同様にイントラ予測によって予測値を求めて、符号化モード切替えスイッチ４７を介して加算器４８へ出力して、逆ＤＣＴ部４３の出力値と加算されて画素値となる。
【００４１】
図７は、従来の方法によるイントラ符号化のマクロブロックごとの符号量を示している。
【００４２】
図７に示すように最左端マクロブロック（マクロブロック番号８１、１６１、２４１、…）の符号量７０１が他の部分と比較してかなり大きくなっていることがわかる。
【００４３】
図８は、本実施の形態によるイントラ予測符号化のマクロブロックごとの符号量を示している。
【００４４】
図７において符号量が極端に大きくなっている最左端マクロブロック（マクロブロック番号８１、１６１、２４１、…）の符号量７０１が、本実施の形態によるイントラ予測符号化が行われることにより、図８に示すように符号量７０２となり、符号量が小さくなっていることがわかる。これは最左端や最上位行の符号量が従来の方法より減少していることを表している。
【００４５】
このように、本実施の形態によれば、各ピクチャにおける最上位行ブロックや、最左列ブロック等のように、ある方向のイントラ予測モードが制限される周辺ブロックを符号化対象画素ブロックとして、イントラ予測する際、時間的に前後する他のピクチャにおける画素ブロックであって、当該符号化対象ブロックに対応する画素ブロックの左側および上側の隣接する符号化済みブロックの画素を参照画素として予測を行うようにしたので、イントラ予測の予測モードが制限されることがなくなり、ある方向のイントラ予測モードが制限される周辺ブロックをイントラ予測する際の符号量を従来のイントラ予測方法よりも減少させることができる。
【００４６】
なお、上記実施の形態では、Ｈ．２６４／ＡＶＣ符号化方式により動画像信号を符号化する動画像符号化装置を一例に説明したが、本発明では、これに限らず、イントラ予測符号化を行う方式で、かつ、ピクチャ内で所定の大きさの画素ブロック毎に隣接する符号化済み画素ブロックの画素を用いて所定の予測方向によりイントラ予測を行うイントラ予測符号化装置やイントラ予測符号化方法であれば、何でもよい。つまり、本発明では、動画像信号をイントラ予測符号化するものであれば十分で、デブロックフィルタ部１７や、重み付け予測部２３などは任意なもので、本発明では、これらを省略しても勿論よい。
【図面の簡単な説明】
【００４７】
【図１】本発明に係るイントラ予測符号化装置およびイントラ予測符号化方法を実現する動画像符号化装置１００の構成の一例を示す図である。
【図２】実施の形態の動画像復号装置２００の構成の一例を示す図である。
【図３】（ａ）〜（ｉ）は、それぞれ、本実施の形態２のイントラ予測部２１が行うイントラ予測の９つの予測モードを示している。
【図４】通常のイントラ予測が行われ場合に予測方向が禁止される４×４画素のイントラ予測ブロックを示す説明図である。
【図５】本実施の形態のイントラ予測部２１がピクチャ５０１の最上位行の最右列ブロック５０２についてイントラ予測する方法を示す説明図である。
【図６】本実施の形態のイントラ予測部２１がピクチャ５０１の最上位行の最右列ブロック５０２についてイントラ予測する方法を詳細に示す説明図である。
【図７】従来の方法によるイントラ予測符号化のマクロブロックごとの符号量を示す説明図である。
【図８】本実施の形態によるイントラ予測符号化のマクロブロックごとの符号量を示す説明図である。
【符号の説明】
【００４８】
１００  イントラ予測符号化装置
１１  減算器
１２  ＤＣＴ部
１３  量子化部
１４  可変長符号化部
１５  逆量子化部
１６  逆ＤＣＴ部
１７  デブロックフィルタ部
１８  メモリ部
１９  動き予測（ＭＥ）部
２０  動き補償（ＭＣ）部
２１  イントラ予測部
２２  第１のテーブル算出部
２３  重み付け予測部
２４  加算器
２５  切替えスイッチ
２００  動画像復号装置
４１  可変長復号部
４２  逆量子化部
４３  逆ＤＣＴ部
４４  イントラ予測部
４５  動き補償（ＭＣ）部
４６  重み付け予測部
４７  符号化モード切替えスイッチ
４８  加算器
４９  デブロックフィルタ部
５０  メモリ部
【図１】
2008166916.tif 000003
【図２】
2008166916.tif 000004
【図３】
2008166916.tif 000005
【図４】
2008166916.tif 000006
【図５】
2008166916.tif 000007
【図６】
2008166916.tif 000008
【図７】
2008166916.tif 000009
【図８】
2008166916.tif 000010